(57)【要約】      （修正有）【課題】音楽情報源から楽器演奏操作支援具を作成する楽器演奏操作支援具作成装置を提供する。【解決手段】楽器演奏操作支援具作成装置は、音楽情報を読み易い位置に保持する譜面台と、楽譜の音楽情報をディスプレイ１３を見ながらコンピュータ５にキー入力する入力装置とで音楽情報入力部を構成し、入力データや演算プログラムや変数を記憶する記憶装置を内蔵したコンピュータで音楽情報選択部、及び音楽情報に基づいて楽器演奏操作支援具２のフォーマットに変換処理する音楽情報加工処理部を構成し、入力結果や変換処理結果を表示するコンピュータ用ディスプレイで加工処理結果表示部を構成し、制作した楽器演奏操作支援具を印刷するプリンター１２で構成される加工処理結果印刷部とを有する。【選択図】図２
0003221337.tif 000002
【実用新案登録請求の範囲】
【請求項１】
音楽情報として演奏楽器、曲名及び調を含む書誌的情報と、楽譜の音符に相当する楽音情報とを含み、
前記楽音情報の音高及び音価を表示するための、一方向に並んだ所定数の枠、及び枠内に表示するマークを構成単位とし、前記音高は前記楽器の演奏操作子の操作状態を前記枠内のマークの有無で表わし、前記音価は前記枠内のマークの大きさ及び枠内の塗りつぶしの有無で表わし、前記一方向に対する垂直方向に、曲の進行順に前記構成単位を連続表示して楽音情報を表わす楽器演奏操作支援具の作成装置であって、
（１）キーボード１０を含む入力手段を介して、音楽情報２０として前記書誌的情報と、１バイト英数記号５文字からなる楽音情報コードとを、楽器演奏操作支援具作成装置のコンピュータ５に入力するステップと、
（２）入力した音楽情報２０を内部記憶装置又は外部記憶装置に記憶するステップと、を含む音楽情報入力部と
（３）前記記憶した音楽情報２０から必要な情報を選択するステップを含む音楽情報選択部と
（４）音楽情報２０を書誌的情報２１と楽音情報２２に分離して抽出するステップと、
（５）楽器の種類を特定するステップと、
（６）演奏子シンボル表示枠数を決定するステップと、
（７）演奏子シンボル２３の枠内マーク２６を選定するステップと、
（８）書誌的情報２１の各項目を文字列変数として保持するステップと、
（９）楽音情報２２から楽音情報量２７を取得し変数として保持するステップと、
（１０）楽音情報２２を音高情報３５と音価情報３６に分離抽出するステップと、
（１１）一楽音構成単位２４の音高情報３５に基づいて演奏子シンボル２３を決定するステップと、
（１２）マーク２６の色相を決定するステップと、
（１３）音価情報３６からマーク２６のサイズを決定するステップと、
（１４）連音等情報３７に基づいて枠内塗りつぶし２８の有無を決定するステップと、
（１５）演奏子シンボル２３を確定するステップと、
（１６）上記（９）のステップの楽音情報量２７に基づいて、上記（１０）乃至（１５）のステップを最初の楽音から最後の楽音まで繰り返すステップとを含む音楽情報加工処理部と
（１７）前記（８）のステップで変数として保持していた書誌的項目２１を書き込むステップと、
（１８）上記工程終了後、書誌的項目２１及び全楽音構成単位２２を表示し、誤記の訂正や様式を整えて記憶及び印刷工程に進むステップとを含む加工処理結果表示部と
（１９）（１８）の加工処理結果をプリンター１２でモノクロ又はカラー印刷して楽器演奏操作支援具２の印刷物を得るステップを含む加工処理結果印刷部とを含むことを特徴とする楽器演奏支援具作成装置。
【請求項２】
請求項１記載の楽器演奏支援具作成装置において、前記音楽情報処理部は、（１０）の楽音情報２２を音高情報３５と音価情報３６に分離抽出するステップ、乃至（１４）の連音等情報３７に基づいて枠内塗りつぶし２８の有無を決定するステップの一部又は全部に代えて、予め作成した演奏子シンボル群から、楽音情報２２に該当する１つの演奏子シンボルを択一的に選択して（１５）の演奏子シンボル２３を確定するステップに至ることを特徴とする楽器演奏支援具作成装置。
【請求項３】
請求項１記載の楽器演奏支援具作成装置において、前記音楽情報処理部は、
前記音高情報３５を０〜９  Ａ〜Ｚ  ａ〜ｚ、の６２文字の何れか１文字を割り当てた圧縮音高情報４１に変換するステップと、
音値情報３６を０〜Ｆの１６文字の何れか１文字の英数字を割り当てた圧縮音価情報４２に変換するステップと、
前記２文字を１組の圧縮楽音コード情報４３にするステップと、
前記圧縮楽音コード４３を連続接合して１文字列にした連続圧縮楽音情報文字列４４にするステップと、
前記連続圧縮楽音情報文字列４４と前記書誌的情報２１を表わす文字列とをＣＳＶ形式で接合するステップと
連続圧縮楽音情報文字列４４と前記書誌的情報２１の文字列を接合した圧縮音楽情報文字列４６を二次元バーコード４５に変換するステップと、を併せ具え、
前記加工処理結果表示部並びに加工処理結果印刷部は
上記ステップで変換した二次元バーコードを表示し、並びに楽器演奏操作支援具２の印刷物の一部に二次元バーコードを印刷することを特徴とする請求項１記載の楽器演奏支援具作成装置。
【考案の詳細な説明】
【技術分野】
【０００１】本考案は、楽器演奏を行うに当たり演奏操作を指示する演奏操作支援具に関し、楽器演奏操作支援具を作成する装置に係る。
【背景技術】
【０００２】音楽は人の心を癒し、楽しみを与え、時に心を奮い立たせる。このように万人から愛される音楽は、楽器を演奏する人にも大きな達成感を与える。
現在楽器演奏や声楽に広く用いられている五線譜を用いた楽譜は、聴覚を介して感じられる美すなわち音楽を、視覚を介して感受可能とする極めて優れた変換手段と考えられる。一方、楽譜に表わされた音楽を、楽音の連続的集合体として、聴覚を介して人間の感性に伝えるためには、第２の変換（出力）手段としての声楽や楽器による演奏が必要である。
楽器には、木管楽器、金管楽器、打楽器、鍵盤楽器、弦楽器などに分類される多種多様な楽器があり、同じ分類であっても個々の楽器ごとに異なる発音機構及び操作機構が用いられている。
このため楽譜を見ながら個々の楽器を演奏するには、演奏する楽器ごとに四肢や手指、口唇等の発音動作を個別に習得し（ステップ１）、楽譜で表現されている楽音の音高・音価を正しく認識し（ステップ２）、ステップ１・２を融合させて個々の楽器の演奏を行う（ステップ３）、という複雑且つ各々が困難なステップが必要とされる。【０００３】楽器演奏を補助支援する装置及び方法は、五線譜等の楽譜を初心者向けに工夫した楽譜を中心に数多く提案されている。
例えば特許文献１には「フレット付弦楽器演奏用楽譜」という名称で、五線譜の音符やＴＡＢ譜の記号に代えて、運指の連続コマ写真やイラストを使用して表記し、その他各種演奏情報も付記し、演奏者が容易に演奏を習得できるフレット付弦楽器演奏用楽譜が開示されている。【０００４】また特許文献２には「ビートチャート数字譜」という名称で、基準ビートマークと補助ビートマークを時間軸上に配置したビートチャートに数字等による音高指示記号を組合せ、音高を記号化し、音価を発音タイミングのグラフ化した演奏用譜面が開示されている。【０００５】  さらに特許文献３には「演奏補助表示装置および演奏補助表示方法」という名称で、管楽器の演奏を補助する表示を自動的に行わせるものであって、曲の進行にともなって変化する音高を管楽器の操作部の操作位置で特定し音価は操作位置の時間変化で表現する、管楽器の演奏補助表示装置および演奏補助表示方法が開示されている。【０００６】特許文献４には「音楽アミューズメント装置および同装置に適用されるコンピュータプログラム」という名称で、音楽演奏をゲームとして楽しむために、演奏曲目の音符又は操作すべき鍵盤を示す画面がスクロールし、これに対するユーザー（演奏者）固有の偏差と一定関係を保つように補整して楽音を発生する、音楽アミューズメント装置および同装置に適用されるコンピュータプログラムが開示されている。
【先行技術文献】
【特許文献】
【０００７】
【特許文献１】実用新案登録第３１１６９７１号公報
【特許文献２】ＷＯ２０１７／０６９１１７号公報
【特許文献３】特開２０１７−１７３６３４号公報
【特許文献４】特開２００６−０２３４８３号公報
【考案の概要】
【考案が解決しようとする課題】
【０００８】上述のように演奏補助楽譜等を見ながら演奏するときは、演奏楽器の音高を示す演奏動作とその持続時間である音価とが一瞥で認識できる表現であることが望ましい。
特許文献１乃至４に開示された発明は、いずれも楽器演奏を補助する演奏補助楽譜又は表示装置及び表示方法であり、演奏楽譜を紙面印刷して複数作成する手段は開示されていないという課題がある。
【課題を解決するための手段】
【０００９】上記目的を達成するため、請求項１記載の考案は、
音楽情報として演奏楽器、曲名及び調を含む書誌的情報と、楽譜の音符に相当する楽音情報とを含み、
前記楽音情報の音高及び音価を表示するための、一方向に並んだ所定数の枠、及び枠内に表示するマークを構成単位とし、前記音高は前記楽器の演奏操作子の操作状態を前記枠内のマークの有無で表わし、前記音価は前記枠内のマークの大きさ及び枠内の塗りつぶしの有無で表わし、前記一方向に対する垂直方向に、曲の進行順に前記構成単位を連続表示して楽音情報を表わす楽器演奏操作支援具の作成装置であって、
（１）キーボード１０を含む入力手段を介して、音楽情報２０として前記書誌的情報２１と、１バイト英数記号５文字からなる楽音情報コードとを、楽器演奏操作支援具作成装置１のコンピュータ５に入力するステップと、
（２）入力した音楽情報２０を内部記憶装置又は外部記憶装置に記憶するステップと、を含む音楽情報入力部と
（３）前記記憶した音楽情報２０から必要な情報を選択するステップを含む音楽情報選択部と
（４）音楽情報２０を書誌的情報２１と楽音情報２２に分離して抽出するステップと、
（５）楽器の種類を特定するステップと、
（６）演奏子シンボル表示枠数を決定するステップと、
（７）演奏子シンボル２３の枠内マーク２６を選定するステップと、
（８）書誌的情報２１の各項目を文字列変数として保持するステップと、
（９）楽音情報２２から楽音情報量２７を取得し変数として保持するステップと、
（１０）楽音情報２２を音高情報３５と音価情報３６に分離抽出するステップと、
（１１）一楽音構成単位２４の音高情報３５に基づいて演奏子シンボル２３を決定するステップと、
（１２）マーク２６の色相を決定するステップと、
（１３）音価情報３６からマーク２６のサイズを決定するステップと、
（１４）連音等情報３７に基づいて枠内塗りつぶし２８の有無を決定するステップと、
（１５）演奏子シンボル２３を確定するステップと、
（１６）上記（９）のステップの楽音情報量２７に基づいて、上記（１０）乃至（１５）のステップを最初の楽音から最後の楽音まで繰り返すステップとを含む音楽情報加工処理部と
（１７）前記（８）のステップで変数として保持していた書誌的項目２１を書き込むステップと、
（１８）上記工程終了後、書誌的項目２１及び全楽音構成単位２２を表示し、誤記の訂正や様式を整えて記憶及び印刷工程に進むステップとを含む加工処理結果表示部と
（１９）（１８）の加工処理結果をプリンター１２でモノクロ又はカラー印刷して楽器演奏操作支援具２の印刷物を得るステップを含む加工処理結果印刷部とを含む楽器演奏支援具作成装置であることを特徴とする。【００１０】請求項２記載の考案は、請求項１記載の楽器演奏支援具作成装置において、
前記音楽情報処理部は、（１０）の楽音情報２２を音高情報３５と音価情報３６に分離抽出するステップ、乃至（１４）の連音等情報３７に基づいて枠内塗りつぶし２８の有無を決定するステップの一部又は全部に代えて、予め作成した演奏子シンボル群から楽音情報２２に該当する１つの演奏子シンボルを択一的に選択して（１５）の演奏子シンボル２３を確定するステップに至る楽器演奏支援具作成装置であることを特徴とする。【００１１】また請求項３記載の考案は、請求項１記載の楽器演奏支援具作成装置において、
前記音楽情報処理部は、
前記音高情報３５を０〜９  Ａ〜Ｚ  ａ〜ｚ、の６２文字の何れか１文字を割り当てた圧縮音高情報４１に変換するステップと、
音値情報３６を０〜Ｆの１６文字の何れか１文字の英数字を割り当てた圧縮音価情報４２に変換するステップと、
前記２文字を１組の圧縮楽音コード情報４３にするステップと、
当該圧縮楽音コード情報４３を連続接合して１文字列にした連続圧縮楽音情報文字列４４にするステップと、
前記連続圧縮楽音情報文字列４４と前記書誌的情報２１を表わす文字列とをＣＳＶ形式で接合するステップと
連続圧縮楽音情報文字列４４と前記書誌的情報２１の文字列を接合した圧縮音楽情報文字列４６を二次元バーコード４５に変換するステップとを併せ具え、
前記加工処理結果表示部並びに加工処理結果印刷部は
上記ステップで変換した二次元バーコードを表示し、並びに楽器演奏操作支援具３の印刷物の一部に印刷する請求項１記載の楽器演奏支援具作成装置であることを特徴とする。
【考案の効果】
【００１２】以上説明したように、本考案の請求項１記載の楽器演奏操作支援具作成装置は、音楽情報として演奏楽器、曲名及び調を含む書誌的情報と、楽譜の音符に相当する楽音情報とを含み、前記楽音情報の音高及び音価を表示するための、一方向に並んだ所定数の枠及び枠内に表示するマークを構成単位とし、前記音高は前記楽器の演奏操作子の操作状態を前記枠内のマークの有無で表わし、前記音価は前記枠内のマークの大きさ及び枠内の塗りつぶしの有無で表わし、前記一方向に対する垂直方向に、曲の進行順に前記構成単位を連続表示して楽音情報を表わす楽器演奏操作支援具を作成する装置であり、
音楽情報入力部と音楽情報選択部と音楽情報加工処理部と加工処理結果表示部と加工処理結果印刷部を含む楽器演奏支援具作成装置なので、コンピュータ及び周辺機器を組み合わせたコンポーネントとして上記楽器演奏支援具作成装置を構成することができる。前記情報入力部は、キーボードやマウス等の入力機器で構成可能であり、前記音楽情報選択部は情報記憶装置に前記キーボードやマウスを用いてアクセスし、情報記憶ファイルから所望の音楽情報を選択することで構成可能である。
前記音楽情報加工処理部は、楽音情報を音高情報と音価情報に分離する演算処理と前記音高情報を前記枠とマークにより構成される前記構成単位に変換する演算処理と、前記音価情報に基づいてマークの面積（ポイント）及び連音や付点の有無を表わす枠の塗りつぶしを演算処理するプログラムで構成可能である。前記加工処理結果表示部は前記音楽情報加工処理部の演算結果を表示するディスプレイで構成可能である。前記加工処理結果印刷部は前記音楽情報加工処理結果をプリンター等の印刷装置に転送することで構成可能である。また電子回路を組み合わせて同様の装置を構成することも可能であり、一体型の楽器演奏支援具作成装置とすることもできるので、所望の音楽情報を一回入力操作するだけで、必要数の楽器演奏操作支援具が自動作成及び複製可能になるという顕著な効果を奏する。【００１３】本考案の請求項２記載の楽器演奏操作支援具作成装置によれば、
請求項１記載の楽器演奏支援具作成装置において、前記音楽情報加工処理部は、
楽音情報を音高情報と音価情報に分離する演算処理を経ずに、直接的に予め作成した演奏子シンボル群から該当する楽音情報の演奏子シンボルを選択して確定させるので、楽音情報と演奏子シンボル群との対比という簡易な処理で演奏子シンボルの確定ができ、情報加工処理速度の向上という大きな効果が得られる。【００１４】本考案の請求項３記載の楽器演奏操作支援具作成装置によれば、
請求項１記載の楽器演奏操作支援具作成装置において、前記音楽情報処理部は、前記音高情報３５を英数字１文字を割り当てた圧縮音高情報４１に変換するステップと、音価情報を１６進数１文字の英数字を割り当てた圧縮音価情報４２に変換するステップと、前記２文字を１組の圧縮楽音コード情報４３にするステップと、当該楽音コードを連続接合して１文字列にした連続圧縮楽音情報文字列４４にするステップと、前記連続圧縮楽音情報文字列４４と前記書誌的情報２１を表わす文字列とをＣＳＶ形式で接合するステップと、連続圧縮楽音情報文字列４４と前記書誌的情報２１の文字列を接合した圧縮音楽情報文字列４６を二次元バーコードに変換するステップとを併せ具え、前記加工処理結果表示部並びに加工処理結果印刷部は上記ステップで変換した二次元バーコード４５を表示し、並びに楽器演奏操作支援具３の印刷物の一部に印刷する。本考案の二次元バーコードは書誌的情報２１の各事項については読みやすく、かつ情報量の多い楽音情報２２は高密度に圧縮してデータ化され、二次元バーコードに大量の楽音データが格納できるので、上記音楽情報２０を格納した二次元バーコードを記録媒体として多様な楽器演奏支援具との音楽情報の共有化が図れるという顕著な効果を奏する。
【図面の簡単な説明】
【００１５】
【図１】楽器演奏操作支援具作成装置の概観図
【図２】実施例１に係る楽器演奏操作支援具作成装置の構成装置と演奏操作支援具作成の流れおよび内部処理の概略図
【図３】実施例１の考案に係る楽器演奏操作支援具（印刷物）の制作工程フロー図
【図４】上記考案に係る楽器演奏操作支援具（印刷物）の具体例
【図５】上記考案に係る楽器演奏操作支援具（印刷物）の全体図
【図６】実施例２の考案に係る楽器演奏操作支援具の二次元バーコード制作工程フロー図
【図７】上記考案に係る楽器演奏操作支援具の二次元バーコード付加印刷物
【図８】上記考案に係る二次元バーコードの利用例（二次元バーコードの読み取り）
【図９】上記考案に係る二次元バーコードの利用例（音楽情報のデコード）
【考案を実施するための形態】
【００１６】本考案の楽器演奏操作支援具作成装置は、簡単な入力操作で楽器演奏操作支援具が作成できるという特徴を有している。その実施例について図１乃至図９を参照しながら具体的に説明する。
【実施例１】
【００１７】本実施例に係る印刷物の楽器演奏操作支援具２は、楽音の音高を楽器の演奏操作子の操作状態を一方向（Ｘ方向）に連なる枠及び枠内のマークの有無で表わし音価を前記枠内のマークの大きさ及び枠内の塗りつぶしの有無で表わした楽音構成単位を、前記一方向に対する垂直方向（Ｙ方向）に、曲の進行順に連接して表示する態様をとっている。（図４、図５参照）【００１８】本実施例の楽器演奏操作支援具作成装置１の構成装置及び演奏操作支援具作成の流れについて図１及び図２を中心に説明する。本考案の楽器演奏操作支援具作成装置１は入力デバイスとしてキーボード１０やマウス９等を利用する。当該入力デバイスを用いて楽譜から音楽情報を入力するときは、操作者は楽譜台１４に置いた楽譜の音符（楽音情報）から音高情報と音価情報を取得して、後述する所定の入力コードを用いてディスプレイ１３を見ながらキー入力する。（図２中の［変換のポイント］参照）
上記楽音情報の他に楽器の種類、曲のタイトル、調、拍子などの書誌的情報を入力する。入力した音楽情報（書誌的情報及び楽音情報）を記憶媒体に記憶し、前記音楽情報に基づきコンピュータ５は楽譜を演奏操作支援具に変換処理し、処理結果をプリンター１２で印刷して楽器演奏操作支援具２を得る。以下に処理の詳細を述べる。【００１９】上記楽器演奏操作支援具２は、楽器演奏操作支援具作成装置１において、図３に示すステップで作成される。
（音楽情報入力工程）
図１、図２に示すキーボード１０等の入力手段を介して楽器演奏操作支援具作成装置１のコンピュータ５に音楽情報２０を入力する。（ステップ１）
図４、図５に示すように音楽情報２０は、書誌的情報２１として楽器の種類、曲のタイトル、調、拍子、テンポ等、楽音情報２２として音高、音価、連音の有無、休符等の音符情報を含んでいる。
本考案の楽器演奏支援具作成装置では、音符情報を漏れなく表わすために、「Ｃ４／／４」、「Ｃ４＃＊８」、「ＱＱ／＊２」等の１バイト英数記号５文字を組み合わせた文字列からなる前記所定の入力コードを採用している。
上記入力例の「Ｃ４／／４」の最初の３文字「Ｃ４／」はＣ４の音（２６２Ｈｚ）を示す音高情報３５を表わし、次の１文字「／」は単独音を表わし最後の１文字「４」は４分音符を示す音価情報３６を表わしている。
上記２例目の「Ｃ４＃＊８」の「Ｃ４＃」は上記と同様にＣ＃４の音（２７７Ｈｚ）を示す音高情報３５を表わし、次の「＊」は連音等を表わし、最後の「８」は８分音符を示す音価情報３６を表わしている。
前記連音等とは、音符記号において、複数の音符を繋いで音を延ばす連音の場合、付点がある場合、及び本装置において全音符の音価を表わす場合を意味し、上記「／」とともに連音の有無情報３７を表わす。上記音価情報３６と連音の有無情報３７とで楽音の音価が確定される。
上記３例目の「ＱＱ／＊２」の「ＱＱ／」は休符を表わし、「＊」は連音を表わし、「２」は２分休符を表わし、この入力例における「ＱＱ／＊２」は２分休符を２連続して上記の全休符を表わしている。
入力した音楽情報２０を内部記憶装置又は外部記憶装置に記憶する。（ステップ２）
図２ではコンピュータ５の内部記憶装置に記憶される。【００２０】    （音楽情報選択工程）
前記記憶した音楽情報２０から必要な情報を選択し次工程に送る。（ステップ３）【００２１】    （音楽情報を書誌的情報と楽音情報に分離する工程）
音楽情報２０を書誌的情報２１と楽音情報２２に分離して抽出する。（ステップ４）
上記のとおり本考案の音楽情報２０は、書誌的情報２１として楽器の種類、曲のタイトル、調、拍子、テンポ等を含み、楽音情報２２として音高、音価、連音の有無、休符等の音符情報を含んでいる。
２つの異なる情報は、入力欄の位置の違いや、入力文字のバイト数の違い（書誌的情報２１は２バイト文字、楽音（音符）情報２２は１バイト文字）で区別される。【００２２】    （書誌的情報から各情報を分離抽出する工程）
楽器の種類を特定する（ステップ５）
楽器の種類によって準備する演奏子操作シンボル表示枠の数、方向、及び枠内のマークが異なるため、後述するステップ６及びステップ７において、楽器の種類情報に基づき演奏子操作シンボル表示枠数（１楽音構成単位）及び演奏子操作シンボルの枠内マークを選定するための楽器の種類情報を取得する。
前記演奏子操作シンボル２３（以下、「演奏子シンボル」と略す）とは、典型的には枠２５と枠内のマーク２６により構成される楽音構成単位２４と略同義であるが、演奏子シンボルの用語は「演奏操作子の具体的操作をシンボル化したものであって音高を表示するもの」の意義に用いている。【００２３】演奏子シンボル表示枠数（１楽音構成単位）を決定する（ステップ６）
演奏子シンボル表示枠数は、図４、図５の例に示すように、演奏操作子の数に音名枠（又は楽音枠）を１プラスしたものであり、トランペット３１の場合は典型的には７枠で一楽音構成単位２４を構成し、リコーダー３２では９枠で一楽音構成単位２４を構成し、足指入力用キーボードを有する電子楽器（以下、足指操作楽器３３と略す）では７枠で一楽音構成単位２４を構成する。
演奏子シンボル２３の枠内マーク２６を選定する（ステップ７）
演奏子シンボル２３は操作状態を「●」や「◆」等のシンプルな記号（マーク）２６を用いて表わし、無操作状態は空白（ブランク）で表現している。
トランペットの息の吹き方（息づかい）は３〜４枠の吹き方専用の枠を用意して、何れかの枠に上記マーク２６を記入することで息の吹き方を表現している。【００２４】書誌的情報２１の各項目を文字列変数として保持する（ステップ８）
前記書誌的情報２１には上記楽器の種類以外にも曲のタイトル、調（基音）、拍子、演奏テンポ等の情報が含まれているので、これらの項目を各楽器の演奏操作支援具２の表示フォーマットに応じた表示箇所に挿入したり、印刷フォーマットを形成するときの便宜のため、上記書誌的情報２１の各事項を文字列変数にして保持する。【００２５】    （楽音情報から楽音情報量を取得・保持する工程）
楽音情報２２から楽音情報量２７（音符・休符の数）を取得し変数として保持する（ステップ９）
本考案は楽音構成単位２４を一曲分連接して楽音表示する処理を行うので、楽音構成単位２４の繰り返し数である楽音情報量２７（音符・休符の数）を取得して変数として保持する。【００２６】    （楽音情報から音高情報と音価情報等を分離抽出する工程）
楽音情報２２を音高情報３５と、音価情報３６及び連音有無情報３７とに分離抽出する（ステップ１０）
上述のように楽音情報２２は音高情報、音価情報３６及び連音の有無情報３７を含んでいるので、一楽音構成単位２４ずつ分離抽出する。【００２７】  （楽音構成単位の演奏子シンボルを決定する工程）
一楽音構成単位２４の音高情報３５に基づいて演奏子シンボル２３を決定する（ステップ１１）
マーク２６の色相を決定する（ステップ１２）
楽器の種類によって演奏子シンボル２３の枠２５の数及び枠内のマーク２６は異なる場合があり、音価ごとにマーク２６のサイズは変化する。また楽器によっては枠内のマーク２６に彩色を施すことが好ましい場合がある。図４及び図５において、図４は３種類の楽器の演奏子シンボル２３及び連接状態の例を示す。図４の（２）のリコーダー３２と（１）のトランペット３１、及び（３）の足指操作楽器３３（図５も参照）では楽音構成単位２４（演奏子シンボル）の配置方向２８（Ｘ方向）及び連接方向２９（Ｙ方向）が９０度異なっている。これは楽器の演奏スタイルによって演奏操作支援具２の読みやすい方向に違いがあるからである。【００２８】音価情報３６からマーク２６のサイズ（ポイント）を決定する。（ステップ１３）
具体的には本考案では、音価を表わす基準としてマーク２６（上記の例では「●」）の面積を、音符の音価の公比２と同一になるように設定している。
既述のとおり音符で表現される音価は、全音符を「１」とし、その半分の音価を２分音符、さらに２分音符の半分の音価を４分音符、以下８分音符、１６分音符、３２分音符とし、等比的に音価を規定している。
この関係を視覚的（直感的）に認識させるには、視覚に対する刺激量、即ちマーク２６の面積を等比的に変化させることが有効である。当該視覚に対する刺激量を一次元の棒の長さで表わすとすれば、楽音間の表示ピッチ又はマークの間隔が頻繁に変化し大変見にくくなると同時に、例えばＡ４サイズ等の一定面積に表示できる楽音の量も少なくなる。これに対して本考案に係る演奏操作支援具２では、音価を表わすマーク２６は「●」や「◆」等のアスペクト比が１又は１に近い記号を一定寸法の枠内に挿入する方式をとっているので視認性が高いと同時に、印刷等で表示する際に一定面積内に表示可能な楽音の充填密度が高いという優れた特徴を備えている。
具体的には４分音符に相当するマーク２６（●）を１２ポイントとした場合、２分音符は１７又は１８ポイント（面積比２倍）のマーク２６で表示され、８分音符は９ポイント（面積比１／２）のマーク２６で表示され、１６分音符は６ポイント（面積比１／４）のマーク２６で表示される。【００２９】上記のような面積比のマーク２６を用いた演奏子シンボル２３は、直感的にマークの大小関係を認識でき、音価を表わす基準として大変有効である。さらに、一定面積の枠２５と段階的に面積変化するマーク２６自体との余白部の面積の変化、及びマーク端部と枠辺部との距離の変化によってもマーク２６の大きさ（音価）を的確に把握できる
連音等情報３７に基づいて枠内塗りつぶし２８の有無を決定する。（ステップ１４）
上記音高情報３５と音価情報３６及び連音等情報３７を纏めて、一楽音構成単位２４の演奏子シンボル２３を確定する（ステップ１５）【００３０】図３中、Ｓ１０とＳ１５を結ぶ破線の処理は、上記ステップ１０からステップ１４の処理に代わる処理で、図２中の「ＯＲ」の付された破線が概説する処理である。この処理は、予め全ての楽音（音高＋音価）に対応するように作成した演算子シンボル群を記憶領域に保持しておき、各楽音ごとに演算子シンボル群との対比を行って該当する演算子シンボルを確定する処理である。したがって上記ステップ１０からステップ１５の処理を１つの処理で代替することができる。また上記ステップ１０からステップ１４の一部を当該処理で行い、残ったステップの処理とを組み合わせて行なってもよい。この一括処理のメリットは、記憶領域が確保できれば少ない処理（対比処理）で、短時間に処理作業が行なえる点にある。【００３１】（楽音構成単位の演奏子シンボルの連接）
上記ステップ９の楽音情報量２７に基づいて、上記ステップ１０〜ステップ１５を最初の楽音から最後の楽音まで繰り返す（ステップ１６）
上述のとおり、ステップ１０からステップ１５の工程は逐次的に決定してもよいし、予め演奏子シンボル２３のグループを演奏子シンボル群のデータとして作成しておきその中から選択してもよい。また両者の組合せでもよい。【００３２】（全音楽情報の処理結果を表示する工程）
変数として保持していた書誌的項目２１を書き込む（ステップ１７）
上記の全処理工程終了後、書誌的項目２１及び全ての演奏子シンボル２３及び各音名を表示し、誤記の訂正や様式を整えて記憶又は、及び印刷工程に進む（ステップ１８）
（楽器演奏操作支援具の印刷工程）
図１に示すプリンター１２でモノクロ又はカラー印刷して楽器演奏操作支援具２の印刷物を得る（図２も参照）（ステップ１９）
【実施例２】
【００３３】（二次元バーコード付加印刷物）
実施例２の考案は、上記実施例１記載の楽器演奏操作支援具印刷物２の余白６の一部に、音楽情報２０を格納した二次元バーコード４５を印刷することを特徴とする。この考案によって音楽情報２０の共有が容易に行え、パーソナルコンピュータやモバイルコンピュータ等における音楽情報２０の入力が極めて容易になる。本実施例の考案は、図６におけるＳ７〜Ｓ１４に示すステップの工程に特徴がある。【００３４】音楽情報入力工程（Ｓ１、Ｓ２）、音楽情報選択工程（Ｓ３）、音楽情報を書誌的情報と楽音情報に分離する工程（Ｓ４）、楽音情報量取得（Ｓ５）、書誌的項目を文字列変数化（Ｓ６）の各工程は、実施例１とデータを共有する。【００３５】（音楽情報を二次元バーコード用圧縮コードに変換する工程）
楽音情報２２を音高情報３５と音価情報３６及び連音の有無情報３７とに分離抽出する。（ステップ７）
音高情報３５を１文字の英数字に変換する。（ステップ８）
本考案の楽器演奏支援具作成装置において、入力又は選択した音楽情報２０は所定の楽音コードを用いて入力されており、音高情報３５は「Ｃ４／」のような１バイト文字記号３文字の情報だが、この３文字の音高情報３５を、０〜９  Ａ〜Ｚ  ａ〜ｚ、の６２文字の何れか１文字を割り当てた圧縮音高情報４１で表現すると、バーコード化するときのデータ量が１／３に減少し読み取り精度が格段に向上する。
上記の１文字変換方式で５オクターブの音域が表現可能である。【００３６】音価情報３６及び連音有無情報３７を１文字の数字に変換する（ステップ９）
上記と同様に、入力又は選択した音楽情報２０の音価情報３６及び連音有無情報３７は「／４」のような１バイトの２文字の情報だが、この２文字の音価情報及び連音有無情報を、０〜Ｆの１６文字の何れか１文字に割り当てた圧縮音価情報４２とすることで音価情報３６及び連音有無情報３７の組合せを１文字の圧縮音価情報４２で表現でき二次元バーコードにおけるデータ量を半減できる。【００３７】圧縮音高情報４１の英数字と圧縮音価情報４２の数字（Ａ〜Ｆも数字と見做している）を接合して２文字の二次元バーコード用圧縮楽音コード情報４３に変換する（ステップ１０）
上記ステップ８〜ステップ１０を最初の楽音から最後の楽音まで、楽音情報数２７繰り返し、区切り記号なしで接合して連続圧縮楽音情報文字列４４を作成する（ステップ１１）
書誌的情報２１と圧縮連続楽音文字列４４とを区切りを付けて接合する（ステップ１２）
書誌的情報２１は楽音情報２２（連続圧縮楽音情報文字列４４）に比べてデータ量が少ないので、読みやすい漢字を含む２バイト文字のままデータ化している。
書誌的情報２１の各項目には読み取り側のデコード工程において、文字列変数に区切りやすいようにＣＳＶの区切り記号を付け、楽音情報２２を変換した圧縮連続楽音文字列４４は連続した１つの文字列として接合する。前記連続圧縮楽音情報文字列４４は２文字の繰り返しであるからデコード側で容易に楽音情報単位４３に分離抽出できる。【００３８】（バーコード変換工程）
上記ステップ１２の、書誌的情報２１と楽音情報の圧縮連続楽音文字列４４を二次元バーコード４５に変換する（ステップ１３）【００３９】（二次元バーコードの印刷工程）
前記実施例１の紙媒体の楽器演奏操作支援具２の余白部６の所定位置に二次元バーコード４５を印刷して、図７に示す二次元バーコード付加演奏操作支援具３を得る（ステップ１４）【００４０】（バーコード情報の復元）
補足的説明として、図８、図９に示すように、バーコードを読み取った側における音楽情報復元処理は以下のようになる。
（音楽情報の分離・抽出）
書誌的情報処理部は、
前記音楽情報を書誌的情報２１（楽器、曲のタイトル、調、拍子、テンポ）と楽音情報（圧縮連続楽音文字列４４）とに分離抽出するステップと、
前記書誌的情報２１の各項目はＣＳＶ形式で区切られているので、一区切り毎に文字列変数として保持するステップと、
前記書誌的情報２１の項目をモバイルコンピュータ７等のディスプレイ８の書誌的情報表示部に表示するステップを含む。【００４１】（楽音情報のデコード処理）
楽音情報処理部は、
楽音情報量（音符、休符の総数）を取得するステップと、
楽音情報を圧縮音高情報と圧縮音価情報に分離抽出するステップと、
上記ステップにおいて、二次元バーコード４５の楽音情報は２文字の圧縮楽音コード情報が連続した連続圧縮楽音情報文字列４４として格納されているので、前記文字列４４の先頭から２文字づつ区切って各文字列を配列に格納する。配列に格納した各文字列（圧縮楽音コード情報４６）の先頭から１文字の英数字が圧縮音高情報を表わし、末尾の数字１文字が圧縮音価情報を表わす。
上記書誌的情報２１、音高情報４１及び音価情報４２に基づき二次元バーコード読み取り側の機器に則した音楽情報表示処理及び必要に応じて楽音発生処理等を行う。
【符号の説明】
【００４２】１        楽器演奏操作支援具作成装置
２        楽器演奏操作支援具
３        二次元バーコード付加演奏操作支援具
５        コンピュータ
６        紙面の余白
７        モバイルコンピュータ
８        モバイルコンピュータのディスプレイ
９        マウス
１０      キーボード
１２      プリンター
１３      ディスプレイ
１４      譜面台
２０      音楽情報
２１      書誌的情報（項目）
２２      楽音情報
２３      演奏子シンボル
２４      楽音構成単位
２５      枠
２６      マーク
２７      楽音情報量（音符・休符数）
２８      枠内塗りつぶし
３５      音高情報
３６      音価情報
３７      連音有無情報
４１      圧縮音高情報
４２      圧縮音価情報
４３      圧縮楽音コード情報
４４      連続圧縮楽音情報文字列
４５      二次元バーコード
４６      圧縮音楽情報文字列
【図１】
0003221337.tif 000003
【図２】
0003221337.tif 000004
【図３】
0003221337.tif 000005
【図４】
0003221337.tif 000006
【図５】
0003221337.tif 000007
【図６】
0003221337.tif 000008
【図７】
0003221337.tif 000009
【図８】
0003221337.tif 000010
【図９】
0003221337.tif 000011
【手続補正書】
【提出日】平成31年2月28日(2019.2.28)
【手続補正１】
【補正対象書類名】実用新案登録請求の範囲
【補正対象項目名】全文
【補正方法】変更
【補正の内容】
【実用新案登録請求の範囲】
【請求項１】
音楽情報として演奏楽器、曲名及び調を含む書誌的情報と、音符で表わされた楽音情報とを含む音楽情報源から楽器演奏操作支援具を作成する楽器演奏操作支援具作成装置において、
前記楽器演奏操作支援具は、前記楽音情報の音高及び音価を表示するための、一方向に並んだ所定数の枠、及び枠内に表示するマークを構成単位とし、前記音高は前記演奏楽器ごとに異なる演奏操作子の操作状態を、前記枠内に表示するマークの有無で表わし、前記音価は前記枠内に表示するマークの大きさ及び枠内の塗りつぶしの有無で表わし、前記一方向に対する垂直方向に、曲の進行順に前記構成単位を連続表示して楽音情報を表わす楽器演奏操作支援具であり、
前記楽器演奏操作支援具作成装置は、
音楽情報を読み易い位置に保持する譜面台と、楽譜の音楽情報をディスプレイを見ながらコンピュータにキー入力する入力装置とで音楽情報入力部を構成し、入力データや演算プログラムや変数を記憶する記憶装置を内蔵したコンピュータで音楽情報選択部、及び音楽情報に基づいて楽器演奏操作支援具のフォーマットに変換処理する音楽情報加工処理部を構成し、入力結果や変換処理結果を表示するコンピュータ用ディスプレイで加工処理結果表示部を構成し、制作した楽器演奏操作支援具を印刷するプリンターで構成される加工処理結果印刷部とを装置の構成要素に有し、
前記音楽情報入力部は、入力装置を介して演奏楽器、曲名、調を含む書誌的情報を入力し、並びに、楽譜に表わされた楽音情報から音高及び音価を取得し、前記音高及び音価を１バイト英数記号５文字からなる楽音情報コードにして、楽器演奏操作支援具作成装置のコンピュータに入力し、コンピュータの記憶装置に記憶する音楽情報入力部であり、
前記音楽情報選択部は、前記コンピュータの記憶装置から必要な音楽情報を選択する音楽情報選択部であり、
前記音楽情報加工処理部は、コンピュータ内の処理として、選択した音楽情報から書誌的情報を抽出して演奏支援具を作成する楽器の種類を特定し、楽器の種類に応じた演奏子シンボル表示枠数及び連接方向を決定し、演奏子シンボルの枠内マークを選定し、書誌的情報の各項目を文字列変数として保持する書誌的情報処理、及び楽音情報から楽音情報量を取得し変数として保持し、楽音情報を音高情報と音価情報に分離抽出し、一楽音ずつの音高情報に基づいて演奏子シンボルを決定し、一楽音ずつの音価情報からマークのサイズを決定し、連音等情報に基づいて枠内塗りつぶしの有無を決定して一楽音ずつの演奏子シンボルを確定し、
前記楽音情報量分繰り返して全ての演奏子シンボルを確定する処理を行う音楽情報加工処理部であり、
前記加工処理結果表示部は、前記音楽情報加工処理部での処理終了後、誤記の訂正や様式を整えるために書誌的項目及び全ての演奏子シンボルをコンピュータ用ディスプレイに表示する加工処理結果表示部であり、
前記加工処理結果印刷部は、書誌的項目及び全ての演奏子シンボルをプリンターで印刷して楽器演奏操作支援具の印刷物を得るための加工処理結果印刷部である、ことを特徴とする楽器演奏支援具作成装置。
【請求項２】
請求項１記載の楽器演奏支援具作成装置において、前記音楽情報加工処理部は、楽音情報の分離抽出を行うことなく、各楽音ごとに、予め作成し記憶装置に保持している全ての楽音に対応する演奏子シンボル群との対比を行い、該当する演奏子シンボルを選択して演奏子シンボルを確定する音楽情報加工処理部であることを特徴とする楽器演奏支援具作成装置。
【請求項３】
請求項１記載の楽器演奏支援具作成装置において、前記音楽情報加工処理部は、前記音高情報を０〜９  Ａ〜Ｚ  ａ〜ｚ、の６２文字の何れか1文字を割り当てた圧縮音高情報で表現し、音価情報を０〜Ｆの１６文字の何れか１文字の英数字を割り当てた圧縮音価情報で表現し、圧縮音高情報と圧縮音価情報を１組の圧縮楽音コードとし、前記圧縮楽音コードを連続接合して１文字列にした連続圧縮楽音情報文字列にして、連続圧縮楽音情報文字列と書誌的情報を表わす文字列とをＣＳＶ形式で接合した圧縮音楽情報文字列を二次元バーコードに変換する処理を並列的に実施する音楽情報加工処理部であり、前記加工処理結果表示部は前記二次元バーコードを表示する加工処理結果表示部であり、前記加工処理結果印刷部は楽器演奏操作支援具の印刷物の一部に前記二次元バーコードを印刷する加工処理結果印刷部であることを特徴とする楽器演奏支援具作成装置。